(57)【要約】  開口部３が形成された筺体２と、この開口部３の内周壁面７に沿って、開口部の中心方向へ略直角状に周設されたパッキン載置用板部８と、このパッキン載置用板部８上に内周壁面７と一定の間隙を設けて垂直状に周設された固定リング係着用仕切壁１０と、この固定リング係着用仕切壁１０とパッキン載置用板部８の内周端との間に載置された環状のパッキン３３と、このパッキン３３上に、その下端が係留可能とされた係留用鍔部１８が周設されたＬＥＤユニットと、この係留用鍔部１８の上端に圧接すると共に、固定リング係着用仕切壁１０に着脱可能とされた固定用リング５と、内周壁面７と固定リング係着用仕切壁１０との間に、その基端が挿入可能とされると共に、固定リング係着用仕切壁１０に着脱可能とされたフード６とを備える交通信号灯器。
2013145121.tif 000002
【特許請求の範囲】
【請求項１】
開口部が形成された筺体と、
前記開口部の内周壁面に沿って、前記開口部の中心方向へ略直角状に周設されたパッキン載置用板部と、
該パッキン載置用板部上に前記内周壁面と一定の間隙を設けて垂直状に周設された固定リング係着用仕切壁と、
該固定リング係着用仕切壁と前記パッキン載置用板部の内周端との間に載置された環状のパッキンと、
該パッキン上に、その下端が係留可能とされた鍔部が周設されたＬＥＤユニットと、
前記鍔部の上端に圧接すると共に、前記固定リング係着用仕切壁に着脱可能とされた固定用リングと、
前記内周壁面と固定リング係着用仕切壁との間に、その基端が挿入可能とされると共に、前記固定リング係着用仕切壁に着脱可能とされたフードとを備える
交通信号灯器。
【請求項２】
前記固定リング係着用仕切壁の内周壁面に、所定間隔ごとに形成された突起部と、
該突起部に対応する前記固定用リングの外周壁面に、前記突起部が係留可能な係合溝部を備える
請求項１に記載の交通信号灯器。
【請求項３】
前記突起部の両側の固定リング係着用仕切壁に、その上端が開放状とされた溝部を有する
請求項２に記載の交通信号灯器。
【請求項４】
前記係合溝部が、固定用リングの周方向に沿って形成されると共に、前記係合溝部の一端が突起部挿入用の開放部とされ、前記係合溝部の他端が突起部係留用の係合台部を有する
請求項２または請求項３に記載の交通信号灯器。
【請求項５】
前記固定リング係着用仕切壁の外周壁面に、所定間隔ごとに突設形成されたフック部と、
該フック部に対応する前記フード基端に、前記フック部が係留可能な係合片部を備える
請求項１、請求項２、請求項３または請求項４に記載の交通信号灯器。
【請求項６】
前記フック部の両側の固定リング係着用仕切壁に、その下端が開放状とされた切込み部を有する
請求項５に記載の交通信号灯器。
【請求項７】
前記フードの係合片部に、フック部挿通用の係合用穴部を有する
請求項５または請求項６に記載の交通信号灯器。
【請求項８】
前記フードの係合片部の内側面に、前記係合用穴部に向けて傾斜した傾斜面を有する
請求項７に記載の交通信号灯器。
【請求項９】
少なくとも前記固定リング係着用仕切壁、固定用リング及びフードが弾性力を有する合成樹脂材で形成された
請求項１、請求項２、請求項３、請求項４、請求項５、請求項６、請求項７または請求項８に記載の交通信号灯器。
【発明の詳細な説明】
【技術分野】
【０００１】
本発明は、交通信号灯器に関する。詳しくは、発光源にＬＥＤユニットを用いた交通信号灯器に係るものである。
【背景技術】
【０００２】
従来、この種の交通信号灯器として、例えば特許文献１に記載されたものが知られている。
具体的には、図１１に示すように、蓋体１０１の前面開口部１０２にレンズ１０３が押え金具１０４で固定されている。また、筺体１０５の内部に第１、第２の取付金具１０６、１０７が配設され、取付板１０８の裏面側にＬＥＤ１０９を備えたプリント配線板１１０と、第３、第４の取付金具１１１、１１２が配設されている。【０００３】
ここで、第３の取付金具１１１に設けられたピン１１３は第１の取付金具１０６のＵ字状溝１１４に係合し、第４の取付金具１１２に設けられたピン１１５は第２の取付金具１０７のＵ字状溝１１６と係止部材１１７に係合している。【０００４】
更に、蓋体１０１に設けられた固定金具１１８で第４の取付金具１１２が押圧されてピン１１５がＵ字状溝１１６に押付けられている。
【先行技術文献】
【特許文献】
【０００５】
【特許文献１】特開２００１−１６０１９８号公報
【発明の概要】
【発明が解決しようとする課題】
【０００６】
しかしながら、上述の特許文献１に記載された交通信号灯器では、前面開口部に対してプリント配線板、取付板及びレンズの取付けが、それぞれ個別で行われるために取付け作業に手間を要する。【０００７】
また、交通信号灯器を構成する各部材の取付けがネジ等の締結部材で行われているために、交通信号灯器の設置後における部品等の取替え時に工具により各部品を取り外さなければならない。【０００８】
本発明は、以上の点に鑑みて創案されたものであって、交通信号灯器を構成するＬＥＤ灯及びフードをネジ等の締結部材を使用しないで取り付けることを実現可能とした交通信号灯器を提供することを目的とするものである。
【課題を解決するための手段】
【０００９】
上記の目的を達成するために、本発明に係る交通信号灯器は、開口部が形成された筺体と、前記開口部の内周壁面に沿って、前記開口部の中心方向へ略直角状に周設されたパッキン載置用板部と、該パッキン載置用板部上に前記内周壁面と一定の間隙を設けて垂直状に周設された固定リング係着用仕切壁と、該固定リング係着用仕切壁と前記パッキン載置用板部の内周端との間に載置された環状のパッキンと、該パッキン上に、その下端が係留可能とされた鍔部が周設されたＬＥＤユニットと、前記鍔部の上端に圧接すると共に、前記固定リング係着用仕切壁に着脱可能とされた固定用リングと、前記内周壁面と固定リング係着用仕切壁との間に、その基端が挿入可能とされると共に、前記固定リング係着用仕切壁に着脱可能とされたフードとを備える。【００１０】
ここで、筐体に開口部が形成されたことによって、筐体内の配線（例えば、電源コード等）を開口部から引き出すことが可能となり、筐体とＬＥＤユニットとの接続の容易化を実現することができる。【００１１】
また、開口部の内周壁面に沿って、開口部の中心方向へ略直角状に周設されたパッキン載置用板部によって、環状のパッキンをパッキン載置用板部上に取り付けることができる。【００１２】
また、パッキン載置用板部上に内周壁面と一定の間隙を設けて垂直状に周設された固定リング係着用仕切壁によって、フードの取り付けを行うことができる。具体的には、内周壁面と固定リング係着用仕切壁との間にフードの基端側を挿し込むことによって、フードの取り付けを行うことが可能となる。【００１３】
更に、固定リング係着用仕切壁とパッキン載置用板部の内周端との間に載置された環状のパッキンによって、開口部から筺体内へ水（例えば、風雨での雨水）が侵入するのを防ぐことが可能となる。【００１４】
また、その下端がパッキン上に係留可能とされた鍔部が周設されたＬＥＤユニットによって、ＬＥＤユニットの鍔部がパッキン上に係留し、開口部をＬＥＤユニットで閉塞した状態で取付けることが可能となる。【００１５】
更に、鍔部の上端に圧接すると共に、固定リング係着用仕切壁に着脱可能とされた固定用リングによって、ＬＥＤユニットの強固な取り付けを行うことができる。具体的には、ＬＥＤユニットの鍔部をパッキン上に載置し、固定用リングを固定リング係着用仕切壁に取付けることで、ＬＥＤユニットの鍔部が圧接され、ＬＥＤユニットの強固な取り付けが可能となる。【００１６】
更に、固定用リングが固定リング係着用仕切壁に着脱可能に構成されたことによって、開口部側からのＬＥＤユニットの取替え、あるいは補修等を行うことが可能となる。【００１７】
また、内周壁面と固定リング係着用仕切壁との間に、その基端が挿入可能とされると共に、固定リング係着用仕切壁に着脱可能とされたフードによって、例えば、フードを取替える必要性が生じた場合には、フードの基端を内周壁面と固定リング係着用仕切壁との隙間から取り外し、新たなフードの取付けが可能となる。【００１８】
また、固定リング係着用仕切壁の内周壁面に、所定間隔ごとに形成された突起部と、突起部に対応する固定用リングの外周壁面に、突起部が係留可能な係合溝部を備える場合には、固定リング係着用仕切壁の内周壁面に形成された突起部が、固定用リングの外周壁面に形成された係合溝部と係留することによって、固定用リングがＬＥＤユニットの鍔部を圧接した状態で固定用リングと固定リング係着用仕切壁との強固な係着が可能となる。【００１９】
また、突起部の両側の固定リング係着用仕切壁に、その上端が開放状とされた溝部を有する場合には、突起部の両側に溝部が形成されることによって、例えば、固定用リングを取付ける際に、固定用リングの外周壁面に突起部が当接し、突起部が開口部の中心方向へ振れることで固定用リングの取付け、あるいは取り外しをスムーズに行うことが可能となる。【００２０】
また、係合溝部が、固定用リングの周方向に沿って形成されると共に、係合溝部の一端が突起部挿入用の開放部とされ、この係合溝部の他端が突起部係留用の係合台部を有する場合には、固定リング係着用仕切壁の突起部を係合溝部の一端の開放部より係合溝部内に挿入して固定用リングを回転させる。これにより、突起部が係合溝部の他端の係合台部と係留して固定用リングと固定リング係着用仕切壁との係着が可能となる。【００２１】
また、固定リング係着用仕切壁の外周壁面に、所定間隔ごとに突設形成されたフック部と、フック部に対応するフード基端に、フック部が係留可能な係合片部を備える場合には、フードの係合片部を内周壁面と固定リング係着用仕切壁との間に挿し込むことで、フック部と係合片部とが互いに係留し合い固定リング係着用仕切壁との強固なフードの取付けが可能となる。【００２２】
また、フック部の両側の固定リング係着用仕切壁に、その下端が開放状とされた切込み部を有する場合には、フック部の両側に溝部が形成されることによって、例えば、フードを取付ける際に、フードの基端面にフック部が当接し、フック部が開口部の中心方向へ振れることでフック部の基端の取付け、あるいは取り外しをスムーズに行うことが可能となる。【００２３】
また、フードの係合片部に、フック部挿通用の係合用穴部を有する場合には、フードの係合片部を内周壁面と固定リング係着用仕切壁との間に挿入する際に、固定リング係着用仕切壁のフック部が、フードの係合片部の係合用穴部に嵌め入れられることでフック部と係合用穴部との確実な係留が可能となる。【００２４】
また、フードの係合片部の内側面に、係合用穴部に向けて傾斜された傾斜面を有する場合には、フードを開口部の内周壁面の周方向へ回動させることでフードの係合用穴部に挿通されたフック部が傾斜面を摺動してスムーズに係合用穴部から外れてフードを固定リング係着用仕切壁から取り外すことが可能となる。【００２５】
また、少なくとも固定リング係着用仕切壁、固定用リング及びフードが弾性力を有する合成樹脂材で形成された場合には、弾性力を利用して容易に着脱をすることが可能となる。
【発明の効果】
【００２６】
本発明の交通信号灯器によれば、ＬＥＤ灯及びフードの着脱がネジ等の締結部材を使用しないで容易に行うことが可能となる。
【図面の簡単な説明】
【００２７】
【図１】本発明を適用した交通信号灯器の一例を説明するための分解模式図である。
【図２】本発明を適用した交通信号灯器における筺体の開口部の一例を説明するための立体模式図である。
【図３】本発明を適用した交通信号灯器における固定用リングを説明するための立体模式図である。
【図４】本発明を適用した交通信号灯器における固定用リングの要部拡大模式図である。
【図５】本発明を適用した交通信号灯器における固定用リングの取付け状態における拡大断面模式図である。
【図６】本発明を適用した交通信号灯器におけるフードを説明するための立体模式図である。
【図７】本発明を適用した交通信号灯器におけるフードの係合用穴部を説明するための要部拡大模式図である。
【図８】本発明を適用した交通信号灯器における固定リング係着用仕切壁と固定用リングとの係着状態を説明するための模式図である。
【図９】本発明を適用した交通信号灯器におけるフードの取付け状態を説明するための模式図である。
【図１０】本発明を適用した交通信号灯器におけるフードの取り外し状態を説明するための模式図である。
【図１１】従来の交通信号灯器の一例を説明するための模式図である。
【発明を実施するための形態】
【００２８】
以下、本発明の実施の形態を図面を参酌しながら説明し、本発明の理解に供する。
図１は本発明を適用した交通信号灯器の一例を説明するための分解模式図、図２は本発明を適用した交通信号灯器における筺体の開口部の一例を説明するための立体模式図である。
【００２９】
ここで示す交通信号灯器１は、筺体２、ＬＥＤユニット４及びフード６の各部が強化プラスチック等の合成樹脂素材で形成されると共に、ネジ等の締結部材を要せずに手動等で容易に着脱可能な構成とされている。
【００３０】
ここで、筺体２の前面（信号灯が取付けられる側）には開口部３が形成され、この開口部３には、ＬＥＤユニット４が固定用リング５で固定され、更にフード６が取付けられた構成とされている。
【００３１】
図２に示すように、開口部３はＬＥＤユニット４の外径より大きい内径を有する大きさとされ、かつ筺体２の前面より、この筺体２の内部に向けて一定幅の内周壁面７が形成されている。
【００３２】
また、内周壁面７の下端周縁に沿って水平方向に突設された一定幅のパッキン載置用板部８が周設されている。更に、パッキン載置用板部８の内周端に沿って垂直状、かつ一定長さとされたパッキン係着用突起部９が所定間隔ごとに周設されている。
【００３３】
また、開口部３の内周壁面７に対してフード６の略厚さ分の間隔を設けてパッキン載置用板部８上に環状に形成された固定リング係着用仕切壁１０が垂設されている。
【００３４】
この固定リング係着用仕切壁１０には、所定位置ごとに固定用リング係着部１１とフード係着部１２が配置されている。
【００３５】
ここで、固定用リング係着部１１は、その両側上端に溝部１３が設けられると共に、開口部３内に向けて突起部１４が突設形成されている。
【００３６】
また、フード係着部１２は、パッキン載置用板部８との間に隙間Ａが形成されると共に、その両側に切込み部１５が設けられ、開口部３の内周壁面７方向にフック部（図示せず。）が突設形成されている。
【００３７】
また、ＬＥＤユニット４は、レンズ部１６と基板収納部１７とから構成され、これらのレンズ部１６と基板収納部１７の境目に沿って係留用鍔部１８が周設された構成とされている。
【００３８】
ここで、基板収納部１７内にはＬＥＤが配置されたＬＥＤ基板（図示せず。）が収納されている。そして基板収納部１７の底面より配線コード（図示せず。）が筺体２内の電源コード（図示せず。）に接続されることでＬＥＤ点灯を行うことができる構成とされている。
【００３９】
次に、図３は本発明を適用した交通信号灯器における固定用リングを説明するための立体模式図、図４は本発明を適用した交通信号灯器における固定用リングの要部拡大模式図、図５は本発明を適用した交通信号灯器における固定用リングの取付け状態における拡大断面模式図である。
【００４０】
ここで、固定用リング５は、その内径がＬＥＤユニット４のレンズ部１６の平面視での外径と略同径とされている。
【００４１】
更に、その外径は、前記図２で詳述した開口部３の内周壁面７に対してフード６の略厚さ分の間隔を設けてパッキン載置用板部８上に環状に形成された固定リング係着用仕切壁１０の内径と略同径とされている。
【００４２】
また、固定用リング５は、その断面が略四角形状とされ、その底面には一定間隔ごとに半球体状の凸部２７が突設されている。
【００４３】
更に、固定用リング５をＬＥＤユニット４の係留用鍔部１８上に載せた場合に、固定リング係着用仕切壁１０の上端を覆うごとき固定用リング５の外周に沿って庇部１９が周設されている。
【００４４】
ここで、固定用リング５の外周壁２０には、前記図２における固定用リング係着部１１の突起部１４が嵌入可能とされた係合溝部２１が形成されている。
【００４５】
この係合溝部２１は、固定リング係着用仕切壁１０の固定用リング係着部１１に対応する固定用リング５の外周壁２０に配置されている。
【００４６】
また、係合溝部２１は固定用リング５の外周壁２０面に沿って固定用リング係着部１１の突起部１４のみが挿入可能、かつ図中Ｂ矢印、あるいはＣ矢印方向への移動可能な空洞部２２が形成されている。
【００４７】
この空洞部２２は、その一端２３の下部が空洞部２２と連通状の開放部２５とされると共に、他端２４は固定用リング係着部１１の突起部１４が押し下げるようにして乗り上げる係合台部２６が形成されている。
【００４８】
従って、固定用リング係着部１１の突起部１４に対して上から固定用リング５の係合溝部２１の開放部２５を嵌め入れて、突起部１４を空洞部２２内に位置させる。そして、固定用リング５を空洞部２２の一端２３側方向へ回動させることで突起部１４が係合台部２６を押し下げながら空洞部２２の他端２４まで移動する。
【００４９】
また、固定用リング５の外周壁２０に、ドライバー等の先端が挿入可能とされた係合凹部２８が設けられている。この係合凹部２８を設けることで、例えば、ドライバー等の先端を挿し込んで固定用リング５を左右方向へ回動させることで容易に固定用リング５を固定リング係着用仕切壁１０からの脱着が行える構成とされている。
【００５０】
次に、図６は本発明を適用した交通信号灯器におけるフードを説明するための立体模式図、図７は本発明を適用した交通信号灯器におけるフードの係合用穴部を説明するための要部拡大模式図である。
【００５１】
ここで、フード６は、その基端２９が内周壁面７と固定リング係着用仕切壁１０との間に嵌め入れることが可能な半円形状とされている。
【００５２】
このようなフード６の基端２９に、所要数の係合片部３０が突設されている。この係合片部３０は、フード６の基端２９に沿って固定リング係着用仕切壁１０のフード係着部１２に対応する箇所にそれぞれ配置されている。
【００５３】
更に、係合片部３０の内側面には、固定リング係着用仕切壁１０のフード係着部１２に設けられるフック部（図示せず。）が挿通可能な係合用穴部３１が開口されている。
【００５４】
この係合用穴部３１には、係合片部３０の内側面より係合用穴部３１に向けて傾斜面３２が形成されることで、フード６を開口部３の周方向へ回動させた場合に係合用穴部３１に嵌め入れられたフック部（図示せず。）が、傾斜面３２により係合用穴部３１よりスムーズに取り外すことができる構成とされている。
【００５５】
以下、本発明を適用した交通信号灯器におけるＬＥＤユニット、固定用リング及びフードの取付け状態を詳述する。
【００５６】
前記図１に示すように、筺体２の開口部３に対して、ＬＥＤユニット４、固定用リング５及びフード６の順で取り付けを行う。
なお、ＬＥＤユニット４を取付ける前に、筺体２内に配線される電源コード（図示せず。）を開口部３より引き出してＬＥＤユニット４の配線コード（図示せず。）に接続をする。
【００５７】
ここで、前記図５に示すように、開口部３のパッキン載置用板部８とパッキン係着用突起部９との間に、ゴム、あるいはウレタン等の反発力や弾性力を有する環状のパッキン３３を押し込むようにして取り付ける。
【００５８】
このようにして取付けられたパッキン３３は、その上端面３４がパッキン係着用突起部９を超える位置となるような厚さとされている。
【００５９】
次に、ＬＥＤユニット４の係留用鍔部１８の下面３５がパッキン３３の上端面３４上に載置されるようにしてＬＥＤユニット４の基板収納部１７を開口部３から筺体２内に収納する。
【００６０】
ここで、前記図２に示すように、この固定リング係着用仕切壁１０に、所定位置ごとに配置される固定用リング係着部１１の突起部１４に対して、前段階として前記図４で示すように固定用リング５の係合溝部２１が対応するようにする。
【００６１】
そして、固定用リング係着部１１の突起部１４の上方から係合溝部２１の開放部２５を押し込むことで突起部１４が係合溝部２１の空洞部２２内に挿入される。
【００６２】
このようにして、固定用リング５を固定リング係着用仕切壁１０とＬＥＤユニット４のレンズ部１６の周側面３６との間に嵌め入れる。
【００６３】
続いて、前記図４の図中Ｃ矢印方向へ固定用リング５を回転させることで、空洞部２２の他端２４側に形成される係合台部２６に突起部１４が乗り上げるようして係留する。この場合に、前記図５に示すように、固定用リング５でＬＥＤユニット４の係留用鍔部１８が圧接されることでパッキン３３が押し下げられる。
【００６４】
従って、図８に示すように、係合台部２６が突起部１４で押し下げられることによる付勢力と、パッキン（図示せず。）が押し下げられる際の反発力で固定用リング係着部１１の突起部１４との係留が強固なものとなる。
【００６５】
一方、固定用リング５を取り外す場合には、前記図４の図中Ｂ矢印方向へ固定用リング５を下方へ押し下げるようにして回転させることで、係合台部２６と突起部１４と係留が解除される。
【００６６】
また、図８に示すように、固定用リング係着部１１は、その両側に溝部１３が設けられることで突起部１４は開口部３の中心方向への振れを可能とする。
【００６７】
このように、突起部１４が開口部３の中心方向へ振れることで、例えば、固定用リング５の係合溝部２１における空洞部２２の他端２４側を、固定リング係着用仕切壁１０の固定用リング係着部１１に配置される突起部１４の上方から押し込むことができる。
【００６８】
これにより、突起部１４が係合溝部２１の係合台部２６の下端から開口部３の中心方向へ押し曲げられながら係合溝部２１内に嵌め入れられる。
【００６９】
このようにして、開口部３にＬＥＤユニット４を固定用リング５で取付けた後に、フード６を取付ける。
【００７０】
ここで、図９及び図１０に示すように、開口部３の内周壁面7と固定リング係着用仕切壁１０との間に、フード６の基端２９の係合片部３０を固定リング係着用仕切壁１０のフード係着部１２のフック部３７と対応する位置から挿し込む。
【００７１】
この場合に、フック部３７の両側のフード係着部１２に切込み部１５が設けられている。従って、フード６の基端２９の係合片部３０を挿し込む際に、フード係着部１２のフック部３７が開口部３の中心方向へ振れた状態となる。
【００７２】
これにより、フード６の基端２９の係合片部３０がフード係着部１２のフック部３７を乗り越えて係合片部３０の係合用穴部３１内にフック部３７が挿通することでフード６の取付けが行える。
【００７３】
また、フード６を取り外す場合には、図１０に示すように、フード６を図中Ｄ矢印方向（内周壁面の周方向）へ回転させる。この場合に、フード６の基端２９の係合片部３０が移動してフード係着部１２のフック部３７が係合用穴部３１の傾斜面３２に当接し、スムーズに摺動しながら係合用穴部３１から離脱することでフード６を取り外すことが可能となる。
【００７４】
なお、本実施例では、突起部の両側に溝部、あるいはフック部の両側に切込み部を設けるものであるが、必ずしも溝部、あるいは切込み部を設ける必要性な無い。
【００７５】
例えば、固定リング係着用仕切壁に単に突起部、あるいはフック部を設けた構成であっても構わないが、溝部、あるいは切込み部を設けることで固定用リング、あるいはフードの着脱が容易となる点において溝部、あるいは切込み部を設けることが望ましい。
【００７６】
また、本実施例では、固定用リング、あるいはフードの着脱を正、逆回転させることで可能とするものであるが、必ずしも正、逆回転させる必要性は無い。
【００７７】
例えば、工具等を使用しないで容易に着脱することができる機構であればいかなる機構であっても構わないが、確実、かつ強固に取付けることができるという点において、固定用リング、あるいはフードを回転させることが望ましい。
【００７８】
以上の構成よりなる本発明の交通信号灯器では、筺体へのＬＥＤユニット、フードの取り付けがネジ等の締結部材を使用せずに、手動で行うことが可能となる。
【００７９】
また、ＬＥＤユニットを取り付ける前に、開口部を介して筺体内から配線の接続を行うことができるために、ＬＥＤユニットの取り付けを容易に行うことが可能となる。
【００８０】
また、ＬＥＤユニットの取替えが、筺体自体を開けることなく、開口部の前面からの着脱が工具等を使用せずに手動で行えることで作業効率が非常に良くなる。
【００８１】
更に、固定用リング及びフードの取付け、あるいは取外しが正、逆回転させることで可能となることで、作業性が良く、かつ衝撃等で容易に外れることがなく確実に取付けることができる。
【００８２】
また、筺体、ＬＥＤユニット、フード等の各部品を合成樹脂材で成型することで軽量、かつ防水性に優れた交通信号灯器を実現することができる。
【符号の説明】
【００８３】
１          交通信号灯器
２          筺体
３          開口部
４          ＬＥＤユニット
５          固定用リング
６          フード
７          内周壁面
８          パッキン載置用板部
９          パッキン係着用突起部
１０        固定リング係着用仕切壁
１１        固定用リング係着部
１２        フード係着部
１３        溝部
１４        突起部
１５        切込み部
１６        レンズ部
１７        基板収納部
１８        係留用鍔部
１９        庇部
２０        外周壁
２１        係合溝部
２２        空洞部
２３        一端
２４        他端
２５        開放部
２６        係合台部
２７        凸部
２８        係合凹部
２９        基端
３０        係合片部
３１        係合用穴部
３２        傾斜面
３３        パッキン
３４        上端面
３５        下面
３６        周側面
３７        フック部
【図１】
2013145121.tif 000003
【図２】
2013145121.tif 000004
【図３】
2013145121.tif 000005
【図４】
2013145121.tif 000006
【図５】
2013145121.tif 000007
【図６】
2013145121.tif 000008
【図７】
2013145121.tif 000009
【図８】
2013145121.tif 000010
【図９】
2013145121.tif 000011
【図１０】
2013145121.tif 000012
【図１１】
2013145121.tif 000013
【国際調査報告】
2013145121.tif 000014
2013145121.tif 000015
2013145121.tif 000016
2013145121.tif 000017